(57)【要約】【課題】従業員の負担を軽減すると共に、買物客が決済処理をする決済装置を選択する自由度を向上させる。【解決手段】実施形態のチェックアウトシステムは、商品登録装置と決済装置とを含む。商品登録装置は、第１入力手段と、生成手段と、記録手段と、通知手段とを有する。第１入力手段は、買物客に固有の識別データを入力する。生成手段は、買上商品の決済のための決済情報を生成する。通知手段は、前記複数の決済装置の何れかからの問い合わせに応じて、問い合わせをした前記決済装置に前記決済情報を通知する。決済装置は、第２入力手段と、問い合わせ手段と、決済手段とを有する。第２入力手段は、識別データを入力する。問い合わせ手段は、第２入力手段により入力された識別データに対応する決済情報を商品登録装置に問い合わせる。決済手段は、前記問い合わせに応じて前記通知手段により通知された前記決済情報に基づいて決済処理をする。【選択図】図２
2020080166.tif 000002
【特許請求の範囲】
【請求項１】
商品の商品コードを取得する取得手段を有する商品登録装置と、前記商品登録装置とネットワークで接続され前記商品の決済処理を実行する複数の決済装置とを備えたチェックアウトシステムの前記商品登録装置において、
会員を識別する識別データを取得する識別データ取得手段と、
前記識別データ取得手段によって識別データが取得されなかった場合、前記複数の決済装置の中から前記決済処理を行う一つの決済装置を決定するための複数の第１ボタンを含む第１画面を表示し、前記識別データ取得手段によって識別データが取得された場合、前記決済処理を行うための決済情報の送信を決定する第２ボタンを含む第２画面を表示する表示制御手段と、
を有する商品登録装置。
【請求項２】
前記表示制御手段は、前記決済装置において顧客が行う手続を前記第２画面に表示する請求項１記載の商品登録装置。
【請求項３】
前記表示制御手段により表示された前記第２ボタンに対する操作がされた場合に前記決済装置からの問合せを待ち受け、問合せに応じて問い合わせ元の前記決済装置に前記決済情報を送信する送信手段をさらに有する請求項１に記載の商品登録装置。
【請求項４】
前記表示制御手段により表示された前記第２ボタンに対する操作がされた場合に、前記複数の決済装置へ前記決済情報を出力する出力手段をさらに有する請求項１に記載の商品登録装置。
【請求項５】
前記複数の決済装置は、管理サーバを介して前記商品登録装置から送信される前記決済情報を受信するものであって、
前記表示制御手段により表示された前記第２ボタンに対する操作がされた場合に、前記管理サーバへ前記決済情報を送信する送信手段をさらに有する請求項１に記載の商品登録装置。
【請求項６】
商品の商品コードを取得する取得手段を有する商品登録装置と、前記商品登録装置とネットワークで接続され前記商品の決済処理を実行する複数の決済装置とを備えたチェックアウトシステムの前記商品登録装置を制御するコンピュータを、
会員を識別する識別データを取得する識別データ取得手段と、
前記識別データ取得手段によって識別データが取得されなかった場合、前記複数の決済装置の中から前記決済処理を行う一つの決済装置を決定するための複数の第１ボタンを含む第１画面を表示させ、前記識別データ取得手段によって識別データが取得された場合、前記決済処理を行うための決済情報の送信を決定する第２ボタンを含む第２画面を表示させる表示制御手段として機能させるための制御プログラム。
【発明の詳細な説明】
【技術分野】
【０００１】
本発明の実施形態は、商品登録装置、及び制御プログラムに関する。
【背景技術】
【０００２】
スーパーマーケットなどにおける買上登録および決済のそれぞれの処理をそれぞれ異なる商品登録装置および決済装置で行うこととし、かつ商品登録装置の操作を従業員が、また決済装置の操作を買物客がそれぞれ行うこととしたセミセルフタイプのチェックアウトシステムが知られている。
【０００３】
このようなシステムでは、決済処理のための決済情報を、商品登録装置から空き状態にある決済装置に対して転送するようになっている。このため、一つの商品登録装置に対して複数の決済装置が設けられている場合、決済情報を転送した決済装置を従業員が買物客に伝える必要がある。
【先行技術文献】
【特許文献】
【０００４】
【特許文献１】特開２００６−３４４１２３号公報
【発明の概要】
【発明が解決しようとする課題】
【０００５】
一つの商品登録装置に対して複数の決済装置が設けられている場合、従業員は、決済情報の転送先とする決済装置を指定しなくてはならない。また、買物客は、複数の決済装置の中から従業員により伝えられた決済装置を判別し、従業員によって指定された決済装置において決済処理をしなければならなかった。
【０００６】
このため、従業員には決済装置を指定する作業負担があった。また、買物客には複数の決済装置が空いていたとしても、従業員によって指定された決済装置以外では決済処理をすることができないため自由度が低かった。
【０００７】
本発明が解決しようとする課題は、従業員の負担を軽減すると共に、買物客が決済処理をする決済装置を選択する自由度を向上させることができる商品登録装置、及び制御プログラムを提供することである。
【課題を解決するための手段】
【０００８】
実施形態の商品登録装置は、商品の商品コードを取得する取得手段を有する商品登録装置と、前記商品登録装置とネットワークで接続され前記商品の決済処理を実行する複数の決済装置とを備えたチェックアウトシステムに含まれる。前記商品登録装置は、識別データ取得手段、表示制御手段を有する。識別データ取得手段は、会員を識別する識別データを取得する。表示制御手段は、前記識別データ取得手段によって識別データが取得されなかった場合、前記複数の決済装置の中から前記決済処理を行う一つの決済装置を決定するための複数の第１ボタンを含む第１画面を表示し、前記識別データ取得手段によって識別データが取得された場合、前記決済処理を行うための決済情報の送信を決定する第２ボタンを含む第２画面を表示する。
【図面の簡単な説明】
【０００９】
【図１】本実施形態に係るチェックアウトシステムの斜視図。
【図２】本実施形態における商品登録装置および決済装置のブロック図。
【図３】本実施形態におけるＣＰＵの制御処理のフローチャート。
【図４】本実施形態におけるＣＰＵの制御処理のフローチャート。
【図５】本実施形態における一例としての登録画面を示す図。
【図６】本実施形態における一例としての第１の選択画面を示す図。
【図７】本実施形態における一例としての第２の選択画面を示す図。
【図８】本実施形態における一例としての報知画面を示す図。
【図９】本実施形態における決済情報テーブルの一例を示す図。
【図１０】本実施形態におけるＣＰＵの制御処理のフローチャート。
【図１１】本実施形態におけるＣＰＵの制御処理のフローチャート。
【図１２】本実施形態におけるＣＰＵの制御処理のフローチャート。
【発明を実施するための形態】
【００１０】
以下、実施の形態の一例について図面を用いて説明する。  
図１は本実施形態に係るチェックアウトシステム１０の斜視図である。
【００１１】
チェックアウトシステム１０は、少なくとも１台の商品登録装置１１と、複数の決済装置１２とを含む。図１においては、２台の商品登録装置１１と４台の決済装置１２とを含んだチェックアウトシステム１０を示している。チェックアウトシステム１０が、商品登録装置１１および決済装置１２をそれぞれ何台含むかは任意であり、商品登録装置１１と決済装置１２との台数の比も任意である。
【００１２】
商品登録装置１１および決済装置１２は、スーパーマーケットなどの店舗のチェックアウトコーナーに設置される。
【００１３】
商品登録装置１１は、チェッカと呼ばれる役割を担った、上記店舗の従業員２１が、そのオペレータとなる。決済装置１２は、上記の店舗で販売する商品を購入する買物客２２が、そのオペレータとなる。ただし、決済装置１２は、従業員により操作される場合もある。
【００１４】
商品登録装置１１は、図１においては、作業テーブル３１に取り付けられている。作業テーブル３１は、矩形の天板を有している。複数の作業テーブル３１が、天板の長手方向がほぼ並行するように配置されることにより、買物客２２用の通路を形成している。
【００１５】
商品登録装置１１は、通路に進入してきた買物客が持参した商品の買上商品としての登録、買上商品の決済のための決済情報の生成、さらには決済情報に基づく決済処理などの機能を備える。商品登録装置１１はさらに、決済情報を決済装置１２に通知する機能を備える。
【００１６】
決済装置１２は、商品登録装置１１から決済情報が通知された場合に、当該決済情報に基づく決済処理を行う。
【００１７】
図２は本実施形態における商品登録装置１１および決済装置１２のブロック図である。
【００１８】
商品登録装置１１および決済装置１２は、いずれもＬＡＮ（local area network）１３に接続されている。ＬＡＮ１３に代えて、インターネットや無線ＬＡＮなどの別の通信網を用いることもできる。あるいは商品登録装置１１と決済装置１２との間で管理サーバを介して情報を授受する構成としても良い。
【００１９】
商品登録装置１１は、ＣＰＵ（central processing unit）１１ａ、ＲＯＭ（read-only memory）１１ｂ、ＲＡＭ（random-access memory）１１ｃ、補助記憶ユニット１１ｄ、ドロワ開放ユニット１１ｅ、スキャナ１１ｆ、タッチパネル１１ｇ、プリンタ１１ｈ、カードリーダライタ１１ｉ、通信ユニット１１ｊおよび伝送システム１１ｋを含む。
【００２０】
ＣＰＵ１１ａ、ＲＯＭ１１ｂ、ＲＡＭ１１ｃおよび補助記憶ユニット１１ｄは、伝送システム１１ｋにより接続されてコンピュータを構成する。
【００２１】
ＣＰＵ１１ａは、上記のコンピュータの中枢部分に相当する。ＣＰＵ１１ａは、ＲＯＭ１１ｂおよびＲＡＭ１１ｃに記憶されたオペレーティングシステム、ミドルウェアおよびアプリケーションプログラムに基づいて、商品登録装置１１としての各種の動作を実現するべく各部を制御する。
【００２２】
ＲＯＭ１１ｂは、上記のコンピュータの主記憶部分に相当する。ＲＯＭ１１ｂは、上記のオペレーティングシステムを記憶する。ＲＯＭ１１ｂは、上記のミドルウェアやアプリケーションプログラムを記憶する場合もある。またＲＯＭ１１ｂは、ＣＰＵ１１ａが各種の処理を行う上で参照するデータを記憶する場合もある。
【００２３】
ＲＡＭ１１ｃは、上記のコンピュータの主記憶部分に相当する。ＲＡＭ１１ｃは、ＣＰＵ１１ａが各種の処理を行う上で参照するデータを記憶する。さらにＲＡＭ１１ｃは、ＣＰＵ１１ａが各種の処理を行う上で一時的に使用するデータを記憶しておく、いわゆるワークエリアとして利用される。
【００２４】
補助記憶ユニット１１ｄは、上記のコンピュータの補助記憶部分に相当する。補助記憶ユニット１１ｄは、ＣＰＵ１１ａが各種の処理を行う上で使用するデータ、あるいはＣＰＵ１１ａでの処理によって生成されたデータを保存する。補助記憶ユニット１１ｄとしては、例えばＥＥＰＲＯＭ（electric erasable programmable read-only memory）、ＨＤＤ（hard disk drive）、あるいはＳＳＤ（solid state drive）などを使用できる。
【００２５】
ＲＯＭ１１ｂまたは補助記憶ユニット１１ｄに記憶されるアプリケーションプログラムには、後述する制御処理に関して記述した制御プログラムを含む。商品登録装置１１の譲渡は一般的に、制御プログラムがＲＯＭ１１ｂまたは補助記憶ユニット１１ｄに記憶された状態にて行われる。しかし、商品登録装置１１が、制御プログラムがＲＯＭ１１ｂまたは補助記憶ユニット１１ｄに記憶されない状態で譲渡されるとともに、磁気ディスク、光磁気ディスク、光ディスク、半導体メモリなどのようなリムーバブルな記録媒体に記録して、あるいはネットワークを介して制御プログラムが譲渡され、この制御プログラムが上記の別途に譲渡された商品登録装置１１の補助記憶ユニット１１ｄに書き込まれても良い。
【００２６】
ドロワ開放ユニット１１ｅは、貨幣を収容するためのドロワを自動的に開放する。
【００２７】
スキャナ１１ｆは、商品の情報を読み取って、当該商品の商品コードを得る。スキャナ１１ｆとしては、周知の種々のタイプのものをそのまま利用できる。スキャナ１１ｆは、周知の種々のタイプうちの１つのみに対応していても良いし、複数のタイプに対応していても良い。すなわちスキャナ１１ｆは、固定式またはハンディ式の２次元コードスキャナを含み得る。またスキャナ１１ｆとしては、商品の画像から画像認識技術を利用して商品を識別するタイプのものを含み得る。
【００２８】
タッチパネル１１ｇは、表示デバイスおよびタッチセンサを含む。表示デバイスは、その表示画面を、ＧＵＩ画面などの任意の画面とする。表示デバイスとしては、例えばカラーＬＣＤ等の周知のデバイスを利用できる。タッチセンサは、表示デバイスの表示面に重ねて配置されている。タッチセンサは、表示デバイスの表示面への操作者のタッチ位置を検出し、その位置情報をＣＰＵ１１ａへと送る。タッチセンサとしては、周知のデバイスを利用できる。
【００２９】
プリンタ１１ｈは、例えばサーマルプリンタやドットインパクトプリンタなどであり、レシート用紙に対して各種の文字列や画像などを印刷することにより、レシートを発行する。
【００３０】
カードリーダライタ１１ｉは、カードに記録されたデータを読み取るとともに、上記のカードへデータを書き込む。カードは、クレジットカード、デビットカード、電子マネーカード、プリペイドカードなどの決済用カードの他に、メンバーズカードやポイントカード（会員カード）などの決済処理に関わる情報を記録する各種のカードを含み得る。カードリーダライタ１１ｉは、磁気式、接触式、あるいは非接触式のいずれのデバイスであっても良いし、また複数種のデバイスを含んでいても良い。
【００３１】
通信ユニット１１ｊは、ＬＡＮ１３を介した通信を行う。
【００３２】
伝送システム１１ｋは、ＣＰＵ１１ａ、ＲＯＭ１１ｂ、ＲＡＭ１１ｃ、補助記憶ユニット１１ｄ、ドロワ開放ユニット１１ｅ、スキャナ１１ｆ、タッチパネル１１ｇ、プリンタ１１ｈ、カードリーダライタ１１ｉおよび通信ユニット１１ｊの間で授受されるデータを伝送する。伝送システム１１ｋは、システムバスなどの各種のバスと、これらのバスと各部とを接続する各種のインタフェース回路とを含む周知のものが利用できる。
【００３３】
なお、商品登録装置１１のハードウェアとしては、例えば既存のＰＯＳ端末を利用することが可能である。
【００３４】
決済装置１２は、ＣＰＵ１２ａ、ＲＯＭ１２ｂ、ＲＡＭ１２ｃ、補助記憶ユニット１２ｄ、自動釣銭機１２ｅ、スキャナ１２ｆ、タッチパネル１２ｇ、プリンタ１２ｈ、カードリーダライタ１２ｉ、通信ユニット１２ｊおよび伝送システム１２ｋを含む。
【００３５】
ＣＰＵ１２ａ、ＲＯＭ１２ｂ、ＲＡＭ１２ｃおよび補助記憶ユニット１２ｄは、伝送システム１２ｋにより接続されてコンピュータを構成する。
【００３６】
ＣＰＵ１２ａは、上記のコンピュータの中枢部分に相当する。ＣＰＵ１２ａは、ＲＯＭ１２ｂおよびＲＡＭ１２ｃに記憶されたオペレーティングシステム、ミドルウェアおよびアプリケーションプログラムに基づいて、決済装置１２としての各種の動作を実現するべく各部を制御する。
【００３７】
ＲＯＭ１２ｂは、上記のコンピュータの主記憶部分に相当する。ＲＯＭ１２ｂは、上記のオペレーティングシステムを記憶する。ＲＯＭ１２ｂは、上記のミドルウェアやアプリケーションプログラムを記憶する場合もある。またＲＯＭ１２ｂは、ＣＰＵ１２ａが各種の処理を行う上で参照するデータを記憶する場合もある。
【００３８】
ＲＡＭ１２ｃは、上記のコンピュータの主記憶部分に相当する。ＲＡＭ１２ｃは、ＣＰＵ１２ａが各種の処理を行う上で参照するデータを記憶する。さらにＲＡＭ１２ｃは、ＣＰＵ１２ａが各種の処理を行う上で一時的に使用するデータを記憶しておく、いわゆるワークエリアとして利用される。
【００３９】
補助記憶ユニット１２ｄは、上記のコンピュータの補助記憶部分に相当する。補助記憶ユニット１２ｄは、ＣＰＵ１２ａが各種の処理を行う上で使用するデータ、あるいはＣＰＵ１２ａでの処理によって生成されたデータを保存する。補助記憶ユニット１２ｄとしては、例えばＥＥＰＲＯＭ、ＨＤＤ、あるいはＳＳＤなどを使用できる。
【００４０】
ＲＯＭ１２ｂまたは補助記憶ユニット１２ｄに記憶されるアプリケーションプログラムには、後述する制御処理に関して記述した制御プログラムを含む。決済装置１２の譲渡は一般的に、制御プログラムがＲＯＭ１２ｂまたは補助記憶ユニット１２ｄに記憶された状態にて行われる。しかし、決済装置１２が、制御プログラムがＲＯＭ１２ｂまたは補助記憶ユニット１２ｄに記憶されない状態で譲渡されるとともに、磁気ディスク、光磁気ディスク、光ディスク、半導体メモリなどのようなリムーバブルな記録媒体に記録して、あるいはネットワークを介して制御プログラムが譲渡され、この制御プログラムが上記の別途に譲渡された決済装置１２の補助記憶ユニット１２ｄに書き込まれても良い。
【００４１】
自動釣銭機１２ｅは、投入される硬貨および紙幣を収受する。また自動釣銭機１２ｅは、釣銭としての硬貨および紙幣を排出する。
【００４２】
スキャナ１２ｆは、商品の情報を読み取って、当該商品の商品コードを得る。スキャナ１２ｆとしては、周知の種々のタイプのものをそのまま利用できる。スキャナ１２ｆは、周知の種々のタイプうちの１つのみに対応していても良いし、複数のタイプに対応していても良い。すなわちスキャナ１２ｆは、固定式またはハンディ式の２次元コードスキャナを含み得る。またスキャナ１２ｆとしては、商品の画像から画像認識技術を利用して商品を識別するタイプのものを含み得る。
【００４３】
タッチパネル１２ｇは、表示デバイスおよびタッチセンサを含む。表示デバイスは、その画面を、ＧＵＩ画面などの任意の画面とする。表示デバイスとしては、例えばカラーＬＣＤ等の周知のデバイスを利用できる。タッチセンサは、表示デバイスの表示面に重ねて配置されている。タッチセンサは、表示デバイスの表示面への操作者のタッチ位置を検出し、その位置情報をＣＰＵ１２ａへと送る。タッチセンサとしては、周知のデバイスを利用できる。
【００４４】
プリンタ１２ｈは、例えばサーマルプリンタやドットインパクトプリンタなどであり、レシート用紙に対して各種の文字列や画像などを印刷することにより、レシートを発行する。
【００４５】
カードリーダライタ１２ｉは、カードに記録されたデータを読み取るとともに、上記のカードへデータを書き込む。カードは、クレジットカード、デビットカード、電子マネーカード、プリペイドカードなどの決済用カードの他に、メンバーズカードやポイントカード（会員カード）などの決済処理に関わる情報を記録する各種のカードを含み得る。カードリーダライタ１２ｉは、磁気式、接触式、あるいは非接触式のいずれのデバイスであっても良いし、また複数種のデバイスを含んでいても良い。
【００４６】
通信ユニット１２ｊは、ＬＡＮ１３を介した通信を行う。
【００４７】
伝送システム１２ｋは、ＣＰＵ１２ａ、ＲＯＭ１２ｂ、ＲＡＭ１２ｃ、補助記憶ユニット１２ｄ、自動釣銭機１２ｅ、スキャナ１２ｆ、タッチパネル１２ｇ、プリンタ１２ｈ、カードリーダライタ１２ｉおよび通信ユニット１２ｊの間で授受されるデータを伝送する。伝送システム１２ｋは、システムバスなどの各種のバスと、これらのバスと各部とを接続する各種のインタフェース回路とを含む周知のものが利用できる。
【００４８】
なお、決済装置１２のハードウェアとしては、例えば既存のセルフＰＯＳ端末を利用することが可能である。
【００４９】
次に、以上のように構成されたチェックアウトシステム１０の動作について説明する。なお、以下に説明する処理の内容は一例であって、同様な結果を得ることが可能な様々な処理を適宜に利用できる。
【００５０】
本実施形態におけるチェックアウトシステム１０は、次の第１〜第３決済方法による決済処理が可能である。  
第１決済方法は、会員カードを従業員２１に提示した買物客２２がセミセルフにより決済（会計）する方法である。セミセルフによる決済とは、買物客２２の操作により決済装置１２において決済処理を実行する決済形態である。以下、第１決済方法によるセミセルフを会員セミセルフと称する。第１決済方法では、買物客２２が会員カードを用いて決済装置１２に会員コードを読み取らせることで、任意に決済装置１２を選択して決済処理をすることができる。このため買物客２２は、決済処理をする決済装置１２を任意に選択することができる。
【００５１】
第２決済方法は、会員カードを従業員２１に提示しない買物客２２がセミセルフにより決済する方法である。以下、第２決済方法によるセミセルフを通常セミセルフと称する。第２決済方法では、会員カードを持たない買物客２２が利用する方法であるため、買物客２２が決済処理をする決済装置１２を選択することができない。従って、第２決済方法では、従業員２１が商品登録装置１１を操作することにより、買物客２２が決済処理をする決済装置１２を選択する。
【００５２】
第３決済方法は、使用可能な決済装置１２がない（例えば、全ての決済装置１２が他の買物客２２により使用されている）ため、商品登録装置１１において従業員２１が決済処理をする方法である。
【００５３】
商品登録装置１１が、買上商品の登録処理を行うモードで起動されると、ＣＰＵ１１ａは、ＲＯＭ１１ｂまたは補助記憶ユニット１１ｄに記憶された制御プログラムに従った制御処理を開始する。
【００５４】
図３および図４は本実施形態におけるＣＰＵ１１ａの制御処理のフローチャートである。
【００５５】
ＡｃｔＡ１においてＣＰＵ１１ａは、ＲＡＭ１１ｃ中に設定する登録商品テーブルをクリアする。
【００５６】
ＡｃｔＡ２においてＣＰＵ１１ａは、タッチパネル１１ｇの画面の一部領域に登録画面を表示する。登録画面は、登録商品テーブルの内容などを表し、登録処理の実施状況を従業員２１に確認させるものである。
【００５７】
図５は本実施形態における一例としての登録画面ＳＣ１を示す図である。
【００５８】
登録画面ＳＣ１は、領域Ｒ１，Ｒ２を含む。
【００５９】
領域Ｒ１は、最も新しく買上登録がなされた商品に関する商品名、個数および単価と、その商品を登録した後の買上商品の合計個数および合計金額とを表示するための領域である。領域Ｒ２は、登録画面ＳＣ１に示された商品よりも前に買上登録がなされた商品に関する商品名、個数、単価および金額のリストを表示するための領域である。
【００６０】
なお、登録画面ＳＣ１は、買上登録がなされた商品に関する各種の情報を表示している状態を示しているが、ＡｃｔＡ２における登録画面は商品に関する各種の情報を表さず、予め定められた基本フォームのみを表している。
【００６１】
またＣＰＵ１１ａは、タッチパネル１１ｇの画面のうちの登録画面としている領域以外には、従業員２１が商品を指定するための商品ボタンや、小計ボタンなどの各種の機能ボタンを表示するが、それらの図示は省略する。
【００６２】
まず、買物客２２は、決済装置１２において会員セミセルフによる決済をする場合には、予め会員登録することにより発行された会員カードを従業員２１に提示する。
【００６３】
会員カードには、買物客（会員）に固有の識別データ（以下、会員コードと称する）が記録されている。従業員２１は、買物客２２により提示された会員カードをカードリーダライタ１１ｉによって読み取らせる。カードリーダライタ１１ｉは会員カードから読み取った会員コードをＣＰＵ１１ａに出力する。
【００６４】
ＡｃｔＡ３においてＣＰＵ１１ａは、会員コードを取得すると、ＡｃｔＡ４において、会員コードをＲＡＭ１１ｃあるいは補助記憶ユニット１１ｄに記録させる。会員コードが取得された場合、ＡｃｔＡ５においてＣＰＵ１１ａは、会員セミセルフモードをオンにする。なお、会員セミセルフモードは、従業員２１の操作によって商品登録装置１１において買上登録された商品についての決済処理を、買物客２２の操作により決済装置１２において実行する動作モードである（第１決済方法）。
【００６５】
商品登録装置１１は、例えば会員セミセルフによる決済をするために会員カードを提示した買物客２２については、例えば買上登録した商品の金額から一定額を減額したり、一定の割引きをしたりするようにしても良い。さらに、商品登録装置１１は、会員コードと関連づけて管理されたポイント（商品の購入時に割引きできる）を加算しても良い。すなわち、会員セミセルフによる決済をするために会員カードを提示した場合には特別なサービスを買物客２２に提供することにより、買物客２２が積極的に会員セミセルフによる決済を利用するように促すことができる。
【００６６】
なお、会員コードの読み取りは、買上登録の開始前だけでなく、後述する締め操作（ＡｃｔＡ１５）がされる前であれば、いつでもすることが可能である。
【００６７】
図３中のＡｃｔＡ６においてＣＰＵ１１ａは、タッチパネル１１ｇの画面中に表示された小計ボタンがタッチされたか否かを確認する。そしてＣＰＵ１１ａは、小計ボタンがタッチされたことがタッチパネル１１ｇにより検出されていないためにＮＯと判定したならば、ＡｃｔＡ７へと進む。
【００６８】
ＡｃｔＡ７においてＣＰＵ１１ａは、買上登録すべき商品の商品コードが取得されたか否かを確認する。そしてＣＰＵ１１ａは、商品コードが取得されていないためにＮＯと判定したならば、ＡｃｔＡ６へと戻る。
【００６９】
かくしてＡｃｔＡ６，ＡｃｔＡ７においてＣＰＵ１１ａは、小計ボタンがタッチされるか、商品コードが取得されるのを待ち受ける。なおＣＰＵ１１ａは、ここでの待ち受けにおいて、他の操作が行われるなどの他の事象の発生を確認し、その発生事象に応じた処理に移行するようにしても良い。
【００７０】
ＣＰＵ１１ａは、図３及び図４に示した制御処理とは別の周知の処理によって、従業員２１による操作に基づいて商品コードを取得する。そしてＣＰＵ１１ａは、商品コードを取得したならば、ＡｃｔＡ７にてＹＥＳと判定し、ＡｃｔＡ８へと進む。
【００７１】
ＡｃｔＡ８においてＣＰＵ１１ａは、上記の取得した商品コードを含むように、登録商品テーブルを更新する。またこれに応じてＣＰＵ１１ａは、更新後の登録商品テーブルの内容に準じるように登録画面を更新する。そしてＣＰＵ１１ａはこの後に、ＡｃｔＡ６およびＡｃｔＡ７の待ち受け状態に戻る。かくして制御プログラムに基づいての制御処理をＣＰＵ１１ａが実行することによって、ＣＰＵ１１ａを中枢部分とするコンピュータは作成部として機能する。
【００７２】
ＣＰＵ１１ａは、小計ボタンがタッチされたならば、ＡｃｔＡ６にてＹＥＳと判定し、図４中のＡｃｔＡ９へと進む。
【００７３】
ＡｃｔＡ９においてＣＰＵ１１ａは、この時点における登録商品テーブルの内容に基づいて、登録商品テーブルに記述された登録商品に関する決済のための決済情報を生成する。決済情報は、登録商品のリストや、買上商品の合計個数および合計金額などの情報を含む。かくして制御プログラムに基づいての制御処理をＣＰＵ１１ａが実行することによって、ＣＰＵ１１ａを中枢部分とするコンピュータは生成部として機能する。
【００７４】
ＡｃｔＡ１０においてＣＰＵ１１ａは、会員セミセルフモードがオンとなっているか否かを確認する。そして会員セミセルフモードがオフであるためにＮＯと判定したならばＣＰＵ１１ａは、ＡｃｔＡ１１へと進む。
【００７５】
ＡｃｔＡ１１においてＣＰＵ１１ａは、タッチパネル１１ｇの画面の一部領域を第１の選択画面とする。
【００７６】
図６は本実施形態における一例としての第１の選択画面ＳＣ２を示す図である。  
第１の選択画面ＳＣ２は、表示エリアＡＲ１，ＡＲ２，ＡＲ３，ＡＲ４，ＡＲ５，ＡＲ６およびボタンＢ１，Ｂ２，Ｂ３，Ｂ４，Ｂ５，Ｂ６，Ｂ７，Ｂ８を含む。
【００７７】
ＣＰＵ１１ａは、表示エリアＡＲ１には、決済情報に含まれた合計個数および合計金額を表示する。ＣＰＵ１１ａは、表示エリアＡＲ２〜ＡＲ５に、４つの決済装置１２のそれぞれへの決済情報の転送の可否をそれぞれ表示する。なお決済装置１２は、決済処理の実行中においては決済情報の転送を受け付けておらず、このような状態にある決済装置１２に関連付けられた表示エリアにＣＰＵ１１ａは「転送不可」と表示する。図６に示す第１の選択画面ＳＣ２では、「装置Ａ」という名称の決済装置１２が決済処理を実行中であることを表している。
【００７８】
ボタンＢ１，Ｂ２は、決済情報に含まれた合計金額に対する値引きを適用することを従業員２１が指定するためのものである。ボタンＢ３は、買上商品の代金の支払方法の選択へと移行することを従業員２１が指定するためのものである。ボタンＢ４〜Ｂ７は、４つの決済装置１２の何れかに決済情報を転送するように従業員２１が指定するためのものである。ボタンＢ８は、タッチパネル１１ｇの画面の一部領域を登録画面とする状態へと戻ることを従業員２１が指定するためのものである。
【００７９】
会員セミセルフモードがオンであるためにＡｃｔＡ１０にてＹＥＳと判定したならばＣＰＵ１１ａは、ＡｃｔＡ１２へと進む。
【００８０】
ＡｃｔＡ１２においてＣＰＵ１１ａは、タッチパネル１１ｇの画面の一部領域に第２の選択画面を表示する。
【００８１】
図７は本実施形態における一例としての第２の選択画面ＳＣ３を示す図である。なお、図７において図６と同一の要素には同一の符号を付し、その詳細な説明は省略する。
【００８２】
第２の選択画面ＳＣ３は、表示エリアＡＲ１およびボタンＢ１，Ｂ２，Ｂ８，Ｂ９を含む。
【００８３】
第２の選択画面ＳＣ３は、第１の選択画面ＳＣ３からボタンＢ３を省いた画面である。これにより第２の選択画面ＳＣ３は、買上商品の代金の支払方法の選択へと移行することの従業員２１による指定を入力することができない画面となっている。
【００８４】
また、会員セミセルフモードがオンの場合には（第１決済処理）、買物客２２が決済処理に使用する決済装置１２を選択する。このため、従業員２１が決済処理に使用される決済装置１２を選択する必要がない。従って、第２の選択画面ＳＣ３では、第１の選択画面ＳＣ３から表示エリアＡＲ２〜ＡＲ５とボタンＢ４〜Ｂ７が省略される。第２の選択画面ＳＣ３では、表示エリアＡＲ２〜ＡＲ５とボタンＢ４〜Ｂ７に代えて、決済情報の転送を指示するためのボタンＢ９と、従業員２１に対するメッセージ「決済装置で会員カードをスキャン」が表示される。すなわち、第２の選択画面ＳＣ３は、第１の選択画面ＳＣ２よりシンプルとなり、分かり易くなっている。従業員２１は、メッセージの内容を確認して、会員カードを使用して空いている決済装置１２において決済処理をするように、買物客２２に対して声を掛けることができる。
【００８５】
ＣＰＵ１１ａは、ＡｃｔＡ１１またはＡｃｔＡ１２においてタッチパネル１１ｇの画面の一部領域を第１または第２の選択画面とした後に、ＡｃｔＡ１３へと進む。
【００８６】
ＡｃｔＡ１３においてＣＰＵ１１ａは、買上登録すべき商品の商品コードが取得されたか否かを確認する。そしてＣＰＵ１１ａは、商品コードが取得されていないためにＮＯと判定したならば、ＡｃｔＡ１４へと進む。
【００８７】
ＡｃｔＡ１４においてＣＰＵ１１ａは、第１の選択画面ＳＣ２におけるボタンＢ４〜Ｂ７（通常セミセルフの場合）、あるいは第２の選択画面ＳＣ３におけるボタンＢ９（会員セミセルフの場合）の操作によって、決済装置１２への決済情報の転送が指定されたか否かを確認する。そしてＣＰＵ１１ａは、決済装置１２への転送が指定されていないためにＮＯと判定したならば、ＡｃｔＡ１５へと進む。
【００８８】
ＡｃｔＡ１５においてＣＰＵ１１ａは、締め操作が行われたか否かを確認する。そしてＣＰＵ１１ａは、締め操作が行われていないためにＮＯと判定したならば、ＡｃｔＡ１３へと戻る。
【００８９】
かくしてＣＰＵ１１ａはＡｃｔＡ１３〜ＡｃｔＡ１５において、商品コードが取得されるか、決済装置１２への決済情報の転送が指定されるか、あるいは締め操作がなされるのを待ち受けている。ただし、締め操作は、例えばボタンＢ３のタッチである。このため、タッチパネル１１ｇに第２の選択画面ＳＣ３を表示している場合は、ボタンＢ３が存在せず、締め操作が行われることがない。従って、ＣＰＵ１１ａは、会員セミセルフモードがオフの場合には、ＡｃｔＡ１５においては常にＮＯと判定することになる。つまりＣＰＵ１１ａはＡｃｔＡ１３〜ＡｃｔＡ１５の待ち受け状態においては、商品コードが取得されるか、決済装置１２への決済情報の転送が指定されるか（第２決済方法）、あるいは締め操作（第３決済方法）を待ち受けることになる。
【００９０】
なお図示を省略しているが、この待ち受け状態においてＣＰＵ１１ａは、ボタンＢ１，Ｂ２がタッチされるのも待ち受けている。そしてＣＰＵ１１ａは、例えばボタンＢ１，Ｂ２のいずれかが従業員２１によりタッチされ、そのことがタッチパネル１１ｇにより検出されたならば、決済情報に含まれた合計金額をその後の従業員２１による指示に応じて変更する。
【００９１】
ＣＰＵ１１ａは、商品コードを取得したならば、ＡｃｔＡ１３にてＹＥＳと判定し、ＡｃｔＡ１６へと進む。
【００９２】
ＡｃｔＡ１６においてＣＰＵ１１ａは、タッチパネル１１ｇの画面の一部領域に登録画面を表示し、図３中のＡｃｔＡ８の処理へと進み、以降の処理を前述と同様に繰り返す。
【００９３】
ＣＰＵ１１ａは、ＡｃｔＡ１３〜ＡｃｔＡ１５の待ち受け状態にあるときに、例えば第１の選択画面ＳＣ２のボタンＢ４〜Ｂ７の何れかが従業員２１によりタッチされて、決済情報を決済装置１２へ転送する指定がなされたならば、ＡｃｔＡ１８へと進む。従業員２１は、他の買物客２２が使用していない、空いている決済装置１２を確認して、該当する決済装置１２に対応するボタンＢ４〜Ｂ７の何れかをタッチする。
【００９４】
ＡｃｔＡ１８においてＣＰＵ１１ａは、ＡｃｔＡ９にて生成した決済情報を、従業員２１によってボタンの操作によって指定された決済装置１２に転送する。
【００９５】
また、ＡｃｔＡ１８においてＣＰＵ１１ａは、タッチパネル１１ｇの画面の一部領域に報知画面を表示する。そしてＣＰＵ１１ａは、図３中のＡｃｔＡ１に戻り、それ以降の処理を前述と同様に行う。
【００９６】
図８は本実施形態における一例としての報知画面ＳＣ４を示す図である。  
報知画面ＳＣ４は、表示エリアＡＲ１１，ＡＲ１２およびボタンＢ１１を含む。
【００９７】
ＣＰＵ１１ａは、表示エリアＡＲ１１には、セミセルフによる決済が選択されたことを従業員２１に認識させるための画像を表示する。また、ＣＰＵ１１ａは、表示エリアＡＲ１２には、決済情報に示された合計個数および合計金額と、決済情報の転送先とする決済装置１２を従業員２１に確認させるためのメッセージ、例えば「決済装置Ｂへ転送しました」を表示する。
【００９８】
ボタンＢ１１は、報知画面ＳＣ４を閉じることを従業員２１が指示するためのものである。
【００９９】
ＣＰＵ１１ａは、ボタンＢ１１がタッチされたことに応じて、図３中のＡｃｔＡ１へと戻り、それ以降の処理を前述したのと同様に繰り返す。
【０１００】
一方、ＣＰＵ１１ａは、ＡｃｔＡ１３〜ＡｃｔＡ１５の待ち受け状態にあるときに、例えばボタンＢ３が従業員２１によりタッチされるなどの締め操作がなされたならば、ＡｃｔＡ１５にてＹＥＳと判定し、ＡｃｔＡ２０へと進む。例えば、全ての決済装置１２が他の買物客２２によって使用中である場合には、買物客２２を待たせないために、商品登録装置１１において決済処理（第３決済方法）を実行する。
【０１０１】
ＡｃｔＡ２０においてＣＰＵ１１ａは、決済処理を実行する。ここでの決済処理は、従業員２１が買物客２２と対話しながら、ＡｃｔＡ９で生成した決済情報に示された合計金額を決済するための処理である。ここでの決済処理は例えば、既存の対話型のＰＯＳ端末などで行われている処理をそのまま適用できる。
【０１０２】
ＡｃｔＡ２１においてＣＰＵ１１ａは、プリンタ１１ｈを制御し、ＡｃｔＡ９で生成した決済情報に示された情報や上記の決済処理の結果を表したレシートを発行する。その後、ＣＰＵ１１ａは、図３中のＡｃｔＡ１の処理に戻り、それ以降の処理を前述と同様に行う。
【０１０３】
なお、ＡｃｔＡ１４においてＣＰＵ１１ａは、会員セミセルフモードがオンの場合において（第１決済方法）、第２の選択画面ＳＣ３のボタンＢ９が従業員２１によりタッチされて、決済情報を決済装置１２へ転送する指定がなされたならば、ＡｃｔＡ１７へと進む。ＣＰＵ１１ａは、少なくとも１つの決済装置１２が動作中であれば、他の決済装置１２の動作状態（停止中、待機中、会計中）に関係なく、決済情報の転送の指定を受け付ける。
【０１０４】
ＡｃｔＡ１７においてＣＰＵ１１ａは、ＡｃｔＡ９にて生成した決済情報を、予め記録した会員コードと対応づけて、決済情報テーブルとして、ＲＡＭ１１ｃあるいは補助記憶ユニット１１ｄに記録する。すなわち、ＣＰＵ１１ａは、従業員２１による決済情報の転送の指示があっても直ちに決済装置１２へ転送しない。
【０１０５】
ＡｃｔＡ１９においてＣＰＵ１１ａは、タッチパネル１１ｇの画面の一部領域に報知画面を表示する。そしてＣＰＵ１１ａは、図３中のＡｃｔＡ１に戻り、それ以降の処理を前述と同様に行う。
【０１０６】
なお、会員セミセルフモードがオンの場合、従業員２１が決済情報の送信先とする決済装置１２を選択しないので、報知画面ＳＣ４は、図８に示す一例から転送先とする決済装置１２を従業員２１に確認させるためのメッセージが省略される。
【０１０７】
図９は本実施形態における決済情報テーブルの一例を示す図である。図９に示すように、決済情報テーブルには、会員コードと決済情報とが対応づけて記録される。決済情報テーブルには、決済装置１２において決済処理が完了していない決済情報が順次記録される。ＣＰＵ１１ａは、後述する処理において、何れかの決済装置１２からの問い合わせに応じて、この問い合わせをした決済装置１２に決済情報を転送した場合に、この転送済みの決済情報（会員コード）を決済情報テーブルから削除する。
【０１０８】
一方、決済装置１２が起動されると、ＣＰＵ１２ａは、ＲＯＭ１２ｂまたは補助記憶ユニット１２ｄに記憶された制御プログラムに従った制御処理を開始する。
【０１０９】
図１０は本実施形態におけるＣＰＵ１２ａの制御処理のフローチャートである。  
ＡｃｔＢ１においてＣＰＵ１２ａは、タッチパネル１２ｇに待機画面を表示する。待機画面は、決済処理を行う状況にないことを表すものであり、どのような情報を表すかは任意であって良い。例えば待機画面は、決済処理を行うことができないことを表すメッセージを表すものや、スクリーンセーバーとして広告などを表す任意の画像を表示するものとすることが想定される。
【０１１０】
買物客２２は、第１決済方法により決済処理をするため、会員カードを従業員２１に提示して、商品登録装置１１における商品の買上登録（決済情報の生成）が完了すると、複数の決済装置１２のうち、待機中にある（他の買物客２２が使用していない）決済装置１２に移動する。第１決済方法では、従業員２１によって決済処理をする決済装置１２が指定されないため、買物客２２は、近い場所にある決済装置１２など、決済処理をする決済装置１２を任意に選択することができる。
【０１１１】
買物客２２は、商品登録装置１１において会員コードを読み取らせた会員カードを、決済装置１２のカードリーダライタ１２ｉによって読み取らせる。カードリーダライタ１２ｉは会員カードから読み取った会員コードをＣＰＵ１２ａに出力する。
【０１１２】
ＡｃｔＢ２においてＣＰＵ１２ａは、会員コードを取得すると、ＡｃｔＢ４において、会員コードに対応する決済情報を、全ての商品登録装置１１に問い合わせるための要求を通信ユニット１２ｊから送信する。
【０１１３】
ここで、決済装置１２からの問い合わせに対応する処理について説明する。図１１は本実施形態における商品登録装置１１のＣＰＵ１１ａの制御処理のフローチャートである。なお、図１１に示すフローチャートの制御処理は、図３及び図４に示すフローチャートの制御処理と並行して実行する。従って、従業員２１は、決済装置１２からの問い合わせを意識することなく、商品登録装置１１における買上登録の操作をすることができる。
【０１１４】
ＡｃｔＣ１においてＣＰＵ１１ａは、決済装置１２からの問い合わせ要求を受信すると、ＡｃｔＣ２において決済装置１２から通知された会員コードが決済情報テーブルに記録されているか検索する。
【０１１５】
会員コードが決済情報テーブルから検索されない場合、ＣＰＵ１１ａは、会員コードに対応する決済情報を記録していないと判別する。ＣＰＵ１１ａは、ＡｃｔＣ３においてＮＯと判定して、決済装置１２からの問い合わせに対する処理を終了する。
【０１１６】
一方、会員コードが決済情報テーブルから検索された場合、ＣＰＵ１１ａは、ＡｃｔＣ３においてＹＥＳと判定して、会員コードに対応する決済情報を決済情報テーブルから読み出す。
【０１１７】
ＡｃｔＣ４においてＣＰＵ１１ａは、決済情報テーブルから読み出した決済情報を、問い合わせ元の決済装置１２に転送する。また、ＣＰＵ１１ａは、決済装置１２に転送した決済情報と会員コードとを決済情報テーブルから削除する。なお、決済情報と会員コードの削除は、決済装置１２から決済情報に対する決済処理が正常に完了したことが通知された後にしても良い。
【０１１８】
一方、決済装置１２のＣＰＵ１２ａは、ＡｃｔＢ５において、何れかの商品登録装置１１から決済情報が受信されたか否かを確認する。そしてＣＰＵ１２ａは、決済情報が受信されていないならばＮＯと判定し、ＡｃｔＢ５を繰り返す。かくしてＣＰＵ１２ａはＡｃｔＢ５において、決済情報が受信されるのを待ち受ける。
【０１１９】
決済装置１２に設けられた通信ユニット１２ｊは、商品登録装置１１からの決済情報を受信すると、ＲＡＭ１２ｃまたは補助記憶ユニット１２ｄに保存する。これに応じてＣＰＵ１２ａは、ＡｃｔＢ５にてＹＥＳと判定し、ＡｃｔＢ６へと進む。
【０１２０】
ＡｃｔＢ６においてＣＰＵ１２ａは、タッチパネル１２ｇの画面を決済画面に変更する。
【０１２１】
なお、決済装置１２は、商品登録装置１１において買物客２２が会員カードを従業員２１に提示しないで買上登録（決済情報の生成）がされた場合、商品登録装置１１から決済情報が送信される（通常セミセルフによる第２決済方法）。
【０１２２】
決済装置１２に設けられた通信ユニット１２ｊは、商品登録装置１１からの決済情報を受信すると、ＲＡＭ１２ｃまたは補助記憶ユニット１２ｄに保存する。これに応じてＣＰＵ１２ａは、ＡｃｔＢ３において決済情報が受信されたことを判別し、ＡｃｔＢ６へと進む。
【０１２３】
決済画面は、上記の受信された決済情報に基づいての決済を行うための買物客２２による操作を受け付けるものである。決済画面は例えば、決済情報に示された合計金額を少なくとも表す。また決済画面は、合計個数や買上商品のリストを含んでも良い。また、複数の決済方法での決済を許容するのならば、決済画面は決済方法を買物客２２が選択するためのボタンなどを含む。
【０１２４】
ＡｃｔＢ７においてＣＰＵ１２ａは、決済のための買物客２２による操作がなされたか否かを確認する。そしてＣＰＵ１２ａは、該当する操作が行われていないためにＮＯと判定したならば、ＡｃｔＢ７の処理を繰り返す。かくしてＣＰＵ１２ａはＡｃｔＢ７において、決済のための操作がなされるのを待ち受ける。
【０１２５】
そしてＣＰＵ１２ａは、このようにして決済のための操作が行われ、これがタッチパネル１２ｇにより検出されたならば、ＡｃｔＢ７にてＹＥＳと判定し、ＡｃｔＢ８へと進む。
【０１２６】
ＡｃｔＢ８においてＣＰＵ１２ａは、決済処理を実行する。ここでの決済処理は、買物客２２による操作に応じて、ＲＡＭ１２ｃまたは補助記憶ユニット１２ｄに保存された決済情報に示された合計金額を決済するための処理である。ここでの決済処理は例えば、既存のセルフＰＯＳ端末などで行われている処理をそのまま適用できる。かくして制御プログラムに基づいての制御処理をＣＰＵ１２ａが実行することによって、ＣＰＵ１２ａを中枢部分とするコンピュータは第２の決済部として機能する。
【０１２７】
ＡｃｔＢ９においてＣＰＵ１２ａは、プリンタ１２ｈを制御し、ＲＡＭ１２ｃまたは補助記憶ユニット１２ｄに保存された決済情報に示された情報や上記の決済処理の結果を表したレシートを発行する。その後、ＣＰＵ１２ａは、ＡｃｔＢ１に戻り、それ以降の処理を前述と同様に行う。
【０１２８】
以上のようにチェックアウトシステム１０によれば、決済装置１２において会員セミセルフにより決済する場合、従業員２１が複数の決済装置１２から決済情報の転送先を選択する必要がない。すなわち、従業員２１は、決済装置１２への決済情報の転送を指示するだけで良いため、空いている決済装置１２を確認して選択するなど作業負担がない。また、買物客２２は、従業員２１から決済処理をする決済装置１２を指示されない。また、買物客２２は、空いている決済装置１２を選択して決済処理をすることができる。このため、買物客２２の自由度を向上させることが可能となる。
【０１２９】
なお、前述した説明では、会員セミセルフモードがオンの状態で決済情報の転送が従業員２１によって指示された場合（第１決済方法）、商品登録装置１１は、決済装置１２からの問い合わせに応じて決済情報を転送しているが、次に説明する処理によって転送しても良い。
【０１３０】
すなわち、商品登録装置１１のＣＰＵ１１ａは、図４のＡｃｔＡ１４において、会員セミセルフモードがオンの状態で決済情報の転送が従業員２１によって指定された場合、全ての決済装置１２に対して、会員コードと対応づけて決済情報を転送する。
【０１３１】
この場合、決済装置１２は、図１２に示すフローチャートの処理を実行する。  
ＡｃｔＤ１においてＣＰＵ１２ａは、タッチパネル１２ｇに待機画面を表示する。ＣＰＵ１２ａは、ＡｃｔＤ２において、商品登録装置１１から送信される決済情報の受信を待ち受け、ＡｃｔＤ４において、他の決済装置１２から送信される決済終了通知の受信を待ち受ける状態となる。
【０１３２】
ＡｃｔＤ２においてＣＰＵ１２ａは、受信情報を受信すると、ＡｃｔＤ３において、決済情報と会員コードを決済情報テーブルとして、ＲＡＭ１２ｃあるいは補助記憶ユニット１２ｄに記録する。
なお、決済装置１２は、動作状態に関係なく、商品登録装置１１から転送された会員コードと決済情報を受信して、決済情報テーブルに記録する。すなわち、決済装置１２は、買物客２２が決済処理中であっても、商品登録装置１１から転送された会員コードと決済情報を受信して記録する。これにより、決済装置１２における決済処理が終了した後に（待機状態となってから）、商品登録装置１１から決済情報を転送する場合よりも、空き時間を短縮することができる。
【０１３３】
買物客２２は、複数の決済装置１２のうち、待機中にある（他の買物客２２が使用していない）決済装置１２に移動する。
【０１３４】
買物客２２は、商品登録装置１１において会員コードを読み取らせた会員カードを、決済装置１２のカードリーダライタ１２ｉによって読み取らせる。カードリーダライタ１２ｉは会員カードから読み取った会員コードをＣＰＵ１２ａに出力する。
【０１３５】
ＡｃｔＤ６においてＣＰＵ１２ａは、会員コードを取得すると、ＡｃｔＤ７において、タッチパネル１２ｇの画面を決済画面に変更する。以下、ＡｃｔＤ７〜Ｄ１０の処理は、図１０のフローチャートに示すＡｃｔＢ６〜Ｂ９と同様に実行されるので詳細な説明を省略する。
【０１３６】
ＣＰＵ１２ａは、ＡｃｔＤ７〜Ｄ１０において決済処理が完了すると、ＡｃｔＤ１１において、他の決済装置１２に対して、決済終了通知を送信する。すなわち、ＣＰＵ１２ａは、決済処理が完了した会員コードと共に、この会員コードに対応する決済情報についての決済処理が完了したことを通知する。
【０１３７】
また、ＣＰＵ１２ａは、決済処理が完了した決済情報と対応づけられた会員コードを決済情報テーブルから削除する。
【０１３８】
一方、ＡｃｔＤ４において、他の決済装置１２から決済完了通知を受信すると、ＡｃｔＤ５において、通知された会員コードと、この会員コードに対応する決済情報を決済情報テーブルから削除する。
【０１３９】
また、前述した説明では、商品登録装置１１から決済装置１２に対して、直接、決済情報を送信しているが、商品登録装置１１と決済装置１２との間で管理サーバを介して決済情報を授受する構成としても良い。この場合、第１決済方法を用いる場合には、商品登録装置１１は、ＡｃｔＡ１７において、決済情報と会員コードを対応づけて管理サーバに送信して、管理サーバに記憶させる。
【０１４０】
一方、決済装置１２は、ＡｃｔＢ２において会員コードを取得した場合には、図１０に示すＡｃｔＢ４のように全ての商品登録装置１１に問い合わせるのではなく、管理サーバに対して会員コードに対応する決済情報を問い合わせる。決済装置１２は、ＡｃｔＢ５において管理サーバから決済情報を受信すると決済画面を表示して、買物客２２に決済のための操作をさせる。
【０１４１】
こうして、管理サーバを介して決済情報を送信することにより、決済装置１２が全ての商品登録装置１１に問い合わせする必要が無く、また全ての商品登録装置１１が決済装置１２からの問い合わせに対応する処理をする必要がないため、決済装置１２と決済装置１２のそれぞれにおける処理負担を軽減することができる。
【０１４２】
こうして、第１決済方法を用いることによって、前述と同様にして、従業員２１の作業負担を軽減し、また買物客２２が決済処理をする決済装置１２を選択する自由度を向上させることができる。
【０１４３】
この実施形態は、次のような種々の変形実施が可能である。  
前記実施形態では、ＣＰＵ１１ａは、ボタンＢ４〜Ｂ７のいずれかへのタッチを、決済処理を決済装置１２で行うことの指定と、登録終了の指定との双方として受け付けている。そして受付期間は、小計ボタンがタッチされてからボタンＢ３〜Ｂ７のいずれかへのタッチがなされるまでの期間としている。しかしながら、ＣＰＵ１１ａは、ボタンＢ４〜Ｂ７のいずれかへのタッチを、決済処理を決済装置１２で行うことの指定として受け付けるとともに、別に用意した終了ボタンへのタッチを、登録終了の指定として受け付けるようにしても良い。ＣＰＵ１１ａは、ボタンＢ４〜Ｂ７のいずれかへのタッチの後に終了ボタンがタッチされたことに応じて、タッチされたボタンに関連付けられた決済装置１２へ決済情報を転送する。
【０１４４】
あるいはＣＰＵ１１ａは、決済処理を決済装置１２で行うことの指定のために別に用意したセミセルフボタンへのタッチを、決済処理を決済装置１２で行うことの指定として受け付けるとともに、ボタンＢ４〜Ｂ７のいずれかへのタッチを、登録終了の指定として受け付けるようにしても良い。ＣＰＵ１１ａは、セミセルフボタンへのタッチの後にボタンＢ４〜Ｂ７のいずれかがタッチされたことに応じて、タッチされたボタンに関連付けられた決済装置１２へ決済情報を転送する。この場合、決済処理を決済装置１２で行うことの指定を受け付ける受付期間は、買上登録の開始後、登録終了の指定がなされるまでの期間、あるいはその期間のうちの一部の期間とすることができる。
【０１４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４６】
１０…チェックアウトシステム、１１…商品登録装置、１１ａ…ＣＰＵ、１１ｂ…ＲＯＭ、１１ｃ…ＲＡＭ、１１ｄ…補助記憶ユニット、１１ｅ…ドロワ開放ユニット、１１ｆ…スキャナ、１１ｇ…タッチパネル、１１ｈ…プリンタ、１１ｉ…カードリーダライタ、１１ｊ…通信ユニット、１１ｋ…伝送システム、１２…決済装置、１２ａ…ＣＰＵ、１２ｂ…ＲＯＭ、１２ｃ…ＲＡＭ、１２ｄ…補助記憶ユニット、１２ｅ…自動釣銭機、１２ｆ…スキャナ、１２ｇ…タッチパネル、１２ｈ…プリンタ、１２ｉ…カードリーダライタ、１２ｊ…通信ユニット、１２ｋ…伝送システム。
【図１】
2020080166.tif 000003
【図２】
2020080166.tif 000004
【図３】
2020080166.tif 000005
【図４】
2020080166.tif 000006
【図５】
2020080166.tif 000007
【図６】
2020080166.tif 000008
【図７】
2020080166.tif 000009
【図８】
2020080166.tif 000010
【図９】
2020080166.tif 000011
【図１０】
2020080166.tif 000012
【図１１】
2020080166.tif 000013
【図１２】
2020080166.tif 000014
【手続補正書】
【提出日】令和2年2月4日(2020.2.4)
【手続補正２】
【補正対象書類名】明細書
【補正対象項目名】０００１
【補正方法】変更
【補正の内容】
【０００１】
本発明の実施形態は、チェックアウトシステム、商品登録装置、及びプログラムに関する。
【手続補正３】
【補正対象書類名】明細書
【補正対象項目名】０００７
【補正方法】変更
【補正の内容】
【０００７】
本発明が解決しようとする課題は、従業員の負担を軽減すると共に、買物客が決済処理をする決済装置を選択する自由度を向上させることができるチェックアウトシステム、商品登録装置、及びプログラムを提供することである。
【手続補正４】
【補正対象書類名】明細書
【補正対象項目名】０００８
【補正方法】変更
【補正の内容】
【０００８】
実施形態のチェックアウトシステムは、少なくとも１つの商品登録装置と複数の決済装置とを含む。前記商品登録装置は、生成手段、第１入力手段、設定手段、第１出力手段、第２出力手段を有する。生成手段は、買上商品の決済のための決済情報を生成する。設定手段は、買物客に固有の識別データを入力する第１入力手段と、全ての前記決済装置に対して前記決済情報を出力する第１決済モードと、前記複数の決済装置の何れかを指定する入力に応じて前記決済情報を出力する第２決済モードとから一つのモードを設定する。第１出力手段は、前記第１決済モードが設定された場合に、全ての前記決済装置に対して前記決済情報と前記識別データとを出力する。第２出力手段は、前記第２決済モードが設定された場合に、前記複数の決済装置の何れかを指定する入力に応じて、指定された前記決済装置に前記決済情報を出力する。前記決済装置は、記録手段、第２入力手段、第１決済手段、第２決済手段を有する。記録手段は、前記第１出力手段により出力された前記識別データと前記決済情報とを対応づけて記録する。第２入力手段は、前記識別データを入力する。第１決済手段は、前記第２入力手段により入力された前記識別データに対応する前記記録手段により記録された前記決済情報に基づいて決済処理をする。第２決済手段は、前記第２出力手段により出力された前記決済情報に基づいて決済処理をする。
【手続補正５】
【補正対象書類名】特許請求の範囲
【補正対象項目名】全文
【補正方法】変更
【補正の内容】
【特許請求の範囲】
【請求項１】
少なくとも１つの商品登録装置と複数の決済装置とを含むチェックアウトシステムであって、前記商品登録装置は、
買上商品の決済のための決済情報を生成する生成手段と、
買物客に固有の識別データを入力する第１入力手段と、
全ての前記決済装置に対して前記決済情報を出力する第１決済モードと、前記複数の決済装置の何れかを指定する入力に応じて前記決済情報を出力する第２決済モードとから一つのモードを設定する設定手段と、
前記第１決済モードが設定された場合に、全ての前記決済装置に対して前記決済情報と前記識別データとを出力する第１出力手段と、
前記第２決済モードが設定された場合に、前記複数の決済装置の何れかを指定する入力に応じて、指定された前記決済装置に前記決済情報を出力する第２出力手段とを有し、
前記決済装置は、
前記第１出力手段により出力された前記識別データと前記決済情報とを対応づけて記録する記録手段と、
前記識別データを入力する第２入力手段と、
前記第２入力手段により入力された前記識別データに対応する前記記録手段により記録された前記決済情報に基づいて決済処理をする第１決済手段と、
前記第２出力手段により出力された前記決済情報に基づいて決済処理をする第２決済手段と
を有するチェックアウトシステム。
【請求項２】
前記決済装置は、
前記第１決済手段により決済処理された場合に、前記決済処理がされた前記決済情報に対応する前記識別データを、他の決済装置に出力する第３出力手段を、
更に有する請求項１に記載のチェックアウトシステム。
【請求項３】
前記決済装置は、
他の決済装置から前記識別データが出力された場合に、前記記録手段に記録された前記識別データと対応する前記決済情報を削除する削除手段を、
更に有する請求項１または請求項２に記載のチェックアウトシステム。
【請求項４】
少なくとも１つの商品登録装置と複数の決済装置とを含むチェックアウトシステムにおける前記前記商品登録装置であって、
買上商品の決済のための決済情報を生成する生成手段と、
買物客に固有の識別データを入力する第１入力手段と、
全ての前記決済装置に対して前記決済情報を出力する第１決済モードと、前記複数の決済装置の何れかを指定する入力に応じて前記決済情報を出力する第２決済モードとから一つのモードを設定する設定手段と、
前記第１決済モードが設定された場合に、全ての前記決済装置に対して前記決済情報と前記識別データとを出力する第１出力手段と、
前記第２決済モードが設定された場合に、前記複数の決済装置の何れかを指定する入力に応じて、指定された前記決済装置に前記決済情報を出力する第２出力手段とを有する商品登録装置。
【請求項５】
少なくとも１つの商品登録装置と複数の決済装置とを含むチェックアウトシステムにおける前記商品登録装置が有するコンピュータを、
買上商品の決済のための決済情報を生成する生成手段と、
買物客に固有の識別データを入力する第１入力手段と、
全ての前記決済装置に対して前記決済情報を出力する第１決済モードと、前記複数の決済装置の何れかを指定する入力に応じて前記決済情報を出力する第２決済モードとから一つのモードを設定する設定手段と、
前記第１決済モードが設定された場合に、全ての前記決済装置に対して前記決済情報と前記識別データとを出力する第１出力手段と、
前記第２決済モードが設定された場合に、前記複数の決済装置の何れかを指定する入力に応じて、指定された前記決済装置に前記決済情報を出力する第２出力手段として機能させるためのプログラム。